(57)【要約】【課題】  画面にページ画像の表示領域を十分に確保した状態で、ユーザが所望のページを容易に探し出すことができ、また、所望のページへの表示切替えを容易に行うことができる操作環境を実現する。【解決手段】  文書中のページ画像３２を画面１１に表示し、操作判定手段１６がサムネイル表示指示が入力されたことを判定すると、表示処理手段１７が画面１１に当該ページ３２のサムネイル画像３４を表示し、操作判定手段１６がサムネイル切替指示が入力されたことを判定すると、表示処理手段１７が画面１１に表示するサムネイル画像３４を他のページのサムネイル画像３４ａに切替える。そして、操作判定手段１６がページ切替指示が入力されたことを判定すると、表示処理手段１７が画面１１に表示するページ画像３２をサムネイル画像３４ａに対応するページ画像３２ａに切替える。【選択図】  図５
2006085425.tif 000002
【特許請求の範囲】
【請求項１】
文書画像を画面に表示する文書処理装置において、
ユーザからの操作入力を受け付ける操作手段と、
前記操作手段からのユーザ操作によりサムネイル表示指示又はサムネイル切替指示が入力されたことを判定する操作判定手段と、
前記サムネイル表示指示が入力されたことに応じて前記画面に表示している文書のページのサムネイル画像を当該画面に表示し、前記サムネイル切替指示が入力されたことに応じて前記文書の他のページのサムネイル画像を当該画面に切替えて表示する表示処理手段と、を備えたことを特徴とする文書処理装置。
【請求項２】
請求項１に記載の文書処理装置において、
前記操作判定手段は、前記操作手段からのユーザ操作によりページ切替指示が入力されたことを判定し、
前記表示処理手段は、サムネイル画像を画面に表示した状態で前記ページ切替指示が入力されたことに応じて当該サムネイル画像に対応するページの画像を画面に表示することを特徴とする文書処理装置。
【請求項３】
請求項２に記載の文書処理装置において、
前記サムネイル表示指示は前記操作手段をなすキーボードの第１のボタンの押下を維持する操作で入力され、
前記サムネイル切替指示は前記キーボードの第２のボタンを押下する操作で入力され、
前記ページ切替指示は前記第１のボタンの押下を解除する操作で入力されることを特徴とする文書処理装置。
【請求項４】
文書画像を画面に表示する文書処理装置をコンピュータに実行させることで構成するプログラムにおいて、
ユーザ操作によりサムネイル表示指示が入力されたことを判定する機能と、
ユーザ操作によりサムネイル切替指示が入力されたことを判定する機能と、
前記サムネイル表示指示が入力されたことに応じて前記画面に表示している文書のページのサムネイル画像を当該画面に表示する機能と、
前記サムネイル切替指示が入力されたことに応じて前記画面に表示している文書の他のページのサムネイル画像を当該画面に切替えて表示する機能と、をコンピュータに実現することを特徴とする文書処理プログラム。
【請求項５】
請求項４に記載の文書処理プログラムにおいて、
ユーザ操作によりページ切替指示が入力されたことを判定する機能と、
サムネイル画像を画面に表示した状態で前記ページ切替指示が入力されたことに応じて当該サムネイル画像に対応するページの画像を画面に表示する機能と、をコンピュータに実現することを特徴とする文書処理プログラム。
【請求項６】
文書画像を画面に表示する文書処理装置が行う文書処理方法であって、
前記文書処理装置の操作判定手段が、ユーザ操作によりサムネイル表示指示が入力されたことを判定し、
前記文書処理装置の表示処理手段が、前記サムネイル表示指示が入力されたことに応じて前記画面に表示している文書のページのサムネイル画像を当該画面に表示し、
前記操作判定手段が、ユーザ操作によりサムネイル切替指示が入力されたことを判定し、
前記表示処理手段が、前記サムネイル切替指示が入力されたことに応じて前記文書の他のページのサムネイル画像を当該画面に切替えて表示することを特徴とする文書処理方法。
【請求項７】
請求項６に記載の文書処理方法において、
前記操作判定手段が、ユーザ操作によりページ切替指示が入力されたことを判定し、
前記表示処理手段が、サムネイル画像を画面に表示した状態で前記ページ切替指示が入力されたことに応じて当該サムネイル画像に対応するページの画像を画面に表示することを特徴とする文書処理方法。
【発明の詳細な説明】
【技術分野】
【０００１】
本発明は、文書中の所望のページを容易に画面に表示させることができる文書処理装置に関し、特に、サムネイル画像を利用したページ切替え表示に関する。
【背景技術】
【０００２】
電子データに基づいて画面に表示される文書は、編集を容易に行うことができる、複写を容易に行うことができる、多量の文書をコンパクトに扱うことができる等といった種々な利点がある反面、紙媒体に印刷された文書に較べて、文書が幾枚程のページから構成されているかをユーザが直感的に把握し難く、また、文書に含まれている所望のページを簡単に探して閲覧することが難しいという欠点がある。
このため、文書データに基づいて画面に文書画像を表示する文書処理装置では、当該文書が複数のページを含む場合、文書が複数ページを含んでいることをユーザに認知させることや、ユーザが所望のページ画像を容易に画面表示できるようにすることが、画面上で文書を扱う操作性を高めるために重要な課題である。
【０００３】
このような事情に対して、画面上での文書の操作性を高めるために種々な技術が開発されており、図８、図９に示す文書処理装置が知られている（富士ゼロックス社製ＤｏｃｕＷｏｒｋｓ５．０参照。）。
図８に示す文書処理装置では、複数ページからなる文書２の画像を画面１に表示する場合に、当該文書の先頭となるページ２ａに他のページ２ｂ、２ｃ、２ｄの縁部をはみ出させた重ね表示することで、当該文書２が複数のページからなることを表現している。そして、カーソル３を２枚目のページ２ｂ上に位置させると当該ページ番号「２」がカーソルの近傍に表示するといったように、ユーザ操作で移動するカーソル３を所望のページ上に移動させることで当該ページ番号４を画面１上で目視確認でき、ユーザがマウスをクリック操作することで当該ページを先頭ページにした状態に表示切替えできるようにしている。
【０００４】
図９に示す文書処理装置では、画面１に、上記のように複数ページ２ａ〜２ｄからなる文書２の画像を重ね表示する領域１ａと、これら各ページ２ａ〜２ｄのサムネイル画像（縮小画像）５ａ〜５ｄを表示する領域１ｂとを設け、これらサムネイル画像５ａ〜５ｄにより、文書２に含まれる各ページ２ａ〜２ｄの記述内容をユーザが把握できるようにしている。そして、ユーザがカーソル３を所望のサムネイル画像上に移動させてクリック操作することで、領域１ａの表示を当該ページを先頭ページにした状態に表示切替えできるようにしている。
【０００５】
なお、サムネイル画像を利用する情報閲覧の利便性を高める発明として、ＷＷＷ環境でＷｅｂページから取得した画像データをサムネイル画像に加工して、当該サムネイル画像を表示する発明が提案されている（特許文献１参照。）。
【特許文献１】特開２００４―７０８０９号公報
【発明の開示】
【発明が解決しようとする課題】
【０００６】
文書処理装置により、複数のページを含む文書を画面上で扱う操作性を高めるために種々な改良がなされているが、更なる操作性の向上が望まれている。
【０００７】
例えば、図８に示す例では、文書２が複数のページ２ａ〜２ｄを含んでいることを容易に把握することができ、また、所望のページのページ番号４を確認しながら当該ページへの表示切替えを容易に行うことができるが、ユーザが所望のページのページ番号を予め知っていないときには、各ページを順次表示切替して所望のページを探し出すといった煩雑な操作を行わなければならない場合があった。
また、例えば、図９に示す例では、サムネイル画像５ａ〜５ｄの一覧表示により、ユーザは所望のページを容易に探し出して当該ページへの表示切替を行うことができるが、限られた大きさの画面１にサムネイル画像の一覧表示領域１ｂを設けなければならないため、閲覧や編集等の操作をするためにページを表示する領域１ａが狭くなって、実際のページに対する操作性が損なわれてしまう場合があった。
【０００８】
本発明は、上記従来の事情に鑑みなされたもので、文書ページの表示領域を画面上に十分確保することができ、且つ、ユーザが所望のページを容易に探し出すことができるように文書を画面表示することを目的としている。
更に、本発明は、ユーザが探し出した所望のページに容易に表示切替できるように文書を画面表示することを目的としている。
【課題を解決するための手段】
【０００９】
本発明に係る文書処理装置では、操作手段でユーザからの操作入力を受け付け、操作判定手段がユーザ操作によりサムネイル表示指示又はサムネイル切替指示が入力されたことを判定すると、表示処理手段が、サムネイル表示指示が入力されたことに応じて画面に表示している文書ページのサムネイル画像を当該画面に表示し、サムネイル切替指示が入力されたことに応じて前記文書の他のページのサムネイル画像を当該画面に切替えて表示する。
ここで、本発明において、複数ページを含む文書に表示方法は、各ページを１つずつ画面に表示する方法であっても、或いは、図８や図９に示すように先頭のページに他のページの縁部をはみ出させた重ね表示する方法であってもよい。
また、サムネイル画像は文書処理装置が必要に応じて生成して表示するようにしてもよいが、予め生成しておいて必要に応じて取得して表示するようにしてもよい。
【００１０】
したがって、先頭ページの下に隠れている他のページ内容をサムネイル画像により把握することができ、これら各ページのサムネイル画像を切替えてページ捲りすることにより所望のページを容易に探し出すことができる。しかも、サムネイル画像は切替え表示しているので、サムネイル画像の表示のために大きな画面領域を使用しないため、画面上に十分な大きさでページ画像の表示領域を確保することができる。
【００１１】
ここで、本発明では、更に、操作判定手段が操作手段からのユーザ操作によりページ切替指示が入力されたことを判定し、表示処理手段が、サムネイル画像を画面に表示した状態でページ切替指示が入力されたことに応じて当該サムネイル画像に対応するページの画像を画面に表示するようにしてもよく、これによって、サムネイル画像により探し出した所望のページを容易に画面表示させることができる。
【００１２】
このようなサムネイルやページの表示切替えは、例えばマウス操作やキーボード操作によって行う種々な操作方法で実現することができるが、サムネイル表示指示は操作手段をなすキーボードの第１のボタン（例えば、Ａｌｔキー）の押下を維持する操作で入力され、  サムネイル切替指示はキーボードの第２のボタン（例えば、左右矢印キーのいずれか一方若しくは両方）を押下する操作で入力され、ページ切替指示は第１のボタンの押下を解除する操作で入力されるようにするのが好ましく、これによって、数少ないボタンキー操作で所望のページを探し出して当該ページの表示に切り替えることができる。
【００１３】
なお、本発明においては、サムネイル画像を表示する位置を画面上のいずれの位置に設定してもよいが、ページ画像の表示と干渉しない画面の隅部に表示するのが好ましい。
また、本発明は、このような文書処理装置をコンピュータにより実現するプログラムや、このような文書処理装置で実施することができる文書処理方法としても実現される。
【発明の効果】
【００１４】
本発明によると、文書に含まれる各ページのサムネイル画像を順次切替えて画面表示するようにしたため、画面にページ画像の表示領域を十分に確保した状態で、ユーザが所望のページを容易に探し出すことができる操作環境を実現し、延いては、所望のページへの表示切替えを容易に行うことができる操作環境を実現することができる。
【発明を実施するための最良の形態】
【００１５】
図１には本発明の一実施例に係る文書処理装置の構成を示してあり、以下、本発明を実施例に基づいて具体的に説明する。
本例の文書処理装置１０は、文書画像を表示する液晶パネル等の画面１１、ユーザからの操作入力を受け付けるマウスやキーボード等の操作手段１２、文書ファイルデータを記憶保持するファイルメモリ１３、ファイルメモリ１３に保持された文書ファイルデータの読み出し処理を行う読出手段１４、文書ファイルデータに含まれるページデータに基づいて縮小処理を行うことで当該ページのサムネイル画像を生成するサムネイル生成手段１５、操作手段１２からのユーザ操作によりサムネイル表示指示又はサムネイル切替指示又はページ切替指示のいずれかが入力されたことを判定する操作判定手段１６、サムネイル画像の表示及び切替え処理及びサムネイル画像に対応するページ画像の表示切替え処理を行う表示処理手段１７を備えている。
【００１６】
ここで、上記の各機能手段はそれぞれハードウエアで構成するようにしてもよいが、本例では、文書処理装置１０を構成しているコンピュータに本発明に係るプログラムを実行させることで、サムネイル表示指示又はサムネイル切替指示又はページ切替指示のいずれかが入力されたことを判定する操作判定手段１６、及び、サムネイル画像の表示及び切替え処理及びサムネイル画像に対応するページ画像の表示切替え処理を行う表示処理手段１７を構成している。
【００１７】
ファイルメモリ１３に記憶保持される文書ファイルデータは、例えば図２に示すように、各文書を識別するためのファイルＩＤ２１や当該文書中に含まれるページ数２２等の属性情報に、文書中の各ページを識別するためのページＩＤ２３及び当該ページの実データであるページデータ２４を対応付けた構成となっている。
なお、本例では、サムネイル生成手段１５がページデータ２４に基づいて当該ページのサムネイル画像を生成するようにしているが、各ページデータ２４にそのサムネイル画像データを付属させておき、当該サムネイル画像データを取得してサムネイル画像を画面１１に表示するようにしてもよい。
【００１８】
本例の文書処理装置１０では、図３に示すような処理を行うことで、図４〜図７に示すように、サムネイル画像３４の画面１１への表示並びに切替え、及び、対応ページ３２ａへの表示切替えを行う。
ユーザが操作手段１２から入力した文書ファイルの指定を受け付けると（ステップＳ１）、読出手段１４がファイルメモリ１３から該当するファイルＩＤ２１の文書ファイルデータを読み出す（ステップＳ２）。
【００１９】
次いで、表示処理手段１７が、上記読み出された文書ファイルデータに基づいて、画面１１に図４に示すように、当該文書の先頭ページ３２を表示する（ステップＳ３）。なお、図集の３３はカーソルである。
ここで、本例では、文書が複数のページを含む場合でも１ページずつを画面表示しているが、図８に示すように、先頭ページ以外のページを重ね表示するようにしてもよい。
【００２０】
そして、ユーザが操作手段１２からサムネイル表示指示を入力したことを操作判定手段１６が検出すると（ステップＳ４）、画面１１に表示されているページ３２のページデータ２４に基づいて、サムネイル生成手段１５がサムネイル画像３４を生成して（ステップＳ５）、図５に示すように、表示処理手段１７が生成されたサムネイル画像３４を画面１１の表示ページ３２に重ならない隅部に表示する（ステップＳ６）。
【００２１】
そして、ユーザが操作手段１２からサムネイル切替指示を入力したことを操作判定手段１６が検出すると（ステップＳ７）、画面１１表示しているページ３２の次（又は前）のページのページデータ２４に基づいて、サムネイル生成手段１５がサムネイル画像３４ａを生成して（ステップＳ５）、図６に示すように、表示処理手段１７が生成されたサムネイル画像３４ａを先のサムネイル画像３４に替えて画面１１に表示する（ステップＳ６）。
したがって、ユーザがサムネイル切替指示を入力する毎に、文書中に含まれているページのサムネイル画像が降順又は昇順で１ページずつ切替表示される。
【００２２】
そして、ユーザが操作手段１２からページ切替指示を入力したことを操作判定手段１６が検出すると（ステップＳ８）、図７に示すように、表示処理手段１７が、サムネイル表示されているページ３２ａを先のページ３２に替えて画面１１に表示し（ステップＳ９）、上記ステップＳ４の処理に戻る。
したがって、ユーザがページ切替指示を入力することで、サムネイル画像３４ａで表示されていたページ３２ａが画面１１に表示される。
【００２３】
ここで、本例では、キーボード１２の第１のボタン（例えば、Ａｌｔキーボタン）にサムネイル表示指示とページ切替指示の入力を割り当て、キーボード１２の第２のボタン（例えば、左右の矢印キーボタン）にサムネイル切替指示の入力を割り当てている。より具体的には、Ａｌｔキーボタンが押下状態で維持されていることでサムネイル表示指示が入力され、Ａｌｔキーボタンの押下状態が解除されたことでページ切替指示が入力され、また、右矢印キーボタンが押下されることでサムネイル画像が降順にページ送りされ、左矢印キーボタンが押下されることでサムネイル画像が昇順にページ送りされる。
【００２４】
したがって、ユーザは、Ａｌｔキーボタンを押下してサムネイル画像を画面に表示し、当該Ａｌｔキーボタンを押下したまま矢印キーボタンを操作することでサムネイル画像を降順又は昇順にページ送りして所望のページを探し、所望のページのサムネイル画像が画面表示されたところでＡｌｔキーボタンを離すといった一連の操作を行うことにより、所望のページを探し出して画面に表示させることができる。
【００２５】
なお、本例では、左矢印キーボタンと右矢印キーボタンとを用いて昇順と降順との両方向へのページ送りをできるようにしているが、いずれか一方の矢印キーボタンだけとして昇順又は降順のいずれか一方向へのページ送りをできるようにしてもよい。
また、上記の指示入力はキーボードの他のキーボタンに割り当てて実施するようにしてもよく、また、マウスのクリック操作や、画面上に表示する操作メニューを用いた操作で上記の指示を入力するようにしてもよい。
【００２６】
また、上記の例では、サムネイル画像をページ画像３２の表示に邪魔にならない画面１１の隅部に表示するようにしたが、例えば、カーソル３３の近傍や、カーソルで指定した位置に表示するようにしてもよい。
また、上記の例では、表示の必要があるときにサムネイル画像を生成するようにしたが、例えば、表示対象の文書が指定されたときに、当該文書中の全てのページのサムネイル画像を生成して用意し、表示の必要に応じてサムネイル画像を取得するようにしてもよい。
【図面の簡単な説明】
【００２７】
【図１】本発明の一実施例に係る文書処理装置の構成図である。
【図２】本発明の一実施例に係る文書ファイルデータの構成図である。
【図３】本発明の一実施例に係る表示処理を説明する図である。
【図４】本発明の一実施例に係るページ画像の画面表示例を示す図である。
【図５】本発明の一実施例に係るサムネイル画像の画面表示例を示す図である。
【図６】本発明の一実施例に係る切替えたサムネイル画像の画面表示例を示す図である。
【図７】本発明の一実施例に係る切替えたページ画像の画面表示例を示す図である。
【図８】従来の文書処理を説明する画面表示例を示す図である。
【図９】従来の文書処理を説明する画面表示例を示す図である。
【符号の説明】
【００２８】
１０：文書処置装置、  １１：画面、
１２：操作手段、  １３：ファイルメモリ、
１４：読出手段、  １５：サムネイル生成手段、
１６：操作判定手段、  １７：表示処理手段、
２３：ページＩＤ、  ２４：ページデータ、
３２、３２ａ：ページ画像、  ３４、３４ａ：サムネイル画像、
【図１】
2006085425.tif 000003
【図２】
2006085425.tif 000004
【図３】
2006085425.tif 000005
【図４】
2006085425.tif 000006
【図５】
2006085425.tif 000007
【図６】
2006085425.tif 000008
【図７】
2006085425.tif 000009
【図８】
2006085425.tif 000010
【図９】
2006085425.tif 000011